(57)【要約】【課題】  ロック機構を構成するラッチレバーを付勢する棒状ばねの占有スペースを小さくする。【解決手段】  棒状ばね１１は、棒状部材の中央部に形成された第１ばね部１１ａと、該第１ばね部１１ａの両端の位置で該第１ばね部１１ａの内側へ向かって棒状部材を折り返した折り返し部分１１ｄを夫々外端部とすると共に棒状部材の先端部を中央部へ向かって延長して夫々内端部１１ｅとした一対の第２ばね部１１ｂとにより構成され、第１ばね部１１ａは、第１アーム部１１ｊと第２アーム部１１ｈとのなす角度θが小さくなると捩られる捩り部１１ｇを備えており、夫々の内端部１１ｅがアッパレールの内側に当接し掛かり部１１ｉがラッチレバー８に当接する。【選択図】  図２
2007008241.tif 000002
【特許請求の範囲】
【請求項１】
車両のフロアに固定され上部が開口する略コ字形状に屈曲形成されたロアレールの前記開口部に、シートに固定され下部が開口する略コ字形状に屈曲成形されたアッパレールがスライド自在に嵌挿され、前記ロアレールと前記アッパレールとにより形成される長手方向の空間内に、前記ロアレールに対する前記アッパレールのスライド位置を変更してロックするロック機構が設けられ、
当該ロック機構は、前記アッパレールに該アッパレールの長手方向と略平行な回動軸を中心として回動可能なラッチレバーが設けられ、前記アッパレールをロックする方向へ前記ラッチレバーを付勢するためのばね部材が設けられた車両のシートスライド装置において、
前記ばね部材は一本の棒状部材を屈曲させて形成され、中央部に前記ラッチレバーに係合する掛かり部が形成された第１ばね部と、該第１ばね部の両端から該第１ばね部の中央へ向かって前記棒状部材を折り返して互いに近接するように延長した内端部を前記アッパレールの前記屈曲形成された部分の内側に当接させるように外方へ突出形成した一対の第２ばね部とにより構成され、
前記第１ばね部は、中央部に形成した第３ばね部と、該第３ばね部の両側に接続され該第３ばね部とほぼ直交する第１アーム部と、該第１アーム部に接続され前記第３ばね部に略平行な捩り部と、該捩り部に接続され該捩り部に略直交して前記第２ばね部の外端部へと接続される第２アーム部とにより構成され、
前記ラッチレバーが回動されることにより前記第１アーム部と前記第２アーム部とのなす角度が変位し、前記捩り部が捩られるようにしたことを特徴とする車両のシートスライド装置。
【請求項２】
請求項１に記載のシートスライド装置において、前記ばね部材が前記アッパレールと前記ラッチレバーとの間に装着された状態で、前記夫々の第２ばね部の外端部が前記アッパレールの前記屈曲形成された部分の内側に当接可能に設定されていることを特徴とする車両のシートスライド装置。
【請求項３】
請求項１に記載のシートスライド装置において、前記第１アーム部と前記第２アーム部とは、前記捩り部の軸線回りに略直角の角度をなすことを特徴とする車両のシートスライド装置。
【発明の詳細な説明】
【技術分野】
【０００１】
本発明は、車両のシートスライド装置に関し、シートを前後へスライドさせた状態でロックするロック機構に用いられるばね部材を改良したものである。
【背景技術】
【０００２】
近年の自動車用シートにおいては、シートレイアウトの多様化が求められており、フロントシートだけでなくセカンドシートやサードシート等にもシートスライド装置が設けらている。そして、ここで採用されるシートスライド装置は、車両の床面に埋め込まなければならなかったり、狭いスペースに設置しなければならない等、多くの制約のある条件下での設置が求められている。
【０００３】
このため、このような厳しい条件下での車両のシートスライド装置の設置を実現するため、従来は、車両のフロアに固定されたロアレールに、シートに固定されたアッパレールがスライド自在に組み付けられると共に、ロアレールに対するアッパレールのスライド位置を変更してロックするロック機構が設けられ、このロック機構がロアレールとアッパレールとの間の狭い空間に配置されている。
【０００４】
前記ロック機構は、アッパレールに回動自在に取り付けられたラッチレバーをばね部材を介して付勢し、ラッチレバーのロック爪をロアレールに取り付けられたロックプレートの貫通孔に嵌合することで、ロアレールに対してアッパレールをロックするようになっている。
【０００５】
ここで、ラッチレバーを付勢するばね部材としては、特許文献１に記載のものが開示されている。これは、ロアレールとアッパレールとの間の狭い空間に配置するために、くの字形に曲げた棒状ばねの両端部をアッパレールの屈曲成形された部分の内側に当接させ、中間部はラッチレバーの回動中心から離れた位置に係合させたものである。
【特許文献１】特開２００５−７９８２号公報
【発明の開示】
【発明が解決しようとする課題】
【０００６】
ところが、棒状ばねの中央部を押圧して撓ませたときに復元しようとする力を付勢力として用いるため、棒状ばねが短いと付勢力の変化量が大きくなる一方、長いと付勢力の変化量が小さくなる。棒状ばねがある程度撓んだロック時には所定の大きさの付勢力が得られ、棒状ばねが更に大きく撓んだロック解除の際でも付勢力が大きくならない方が操作性が良いが、棒状ばねが長くなるという問題がある。そして、棒状ばねが長いと、占有スペースが大きくなってポジションセンサと干渉する等の問題が生じ、レイアウトの自由度が低下する。
【０００７】
そこで本発明は、占有スペースを小さくでき、かつロック時とロック解除の際との付勢力の差を小さくしたばね部材を備えた車両のシートスライド装置を提供することを目的とする。
【課題を解決するための手段】
【０００８】
請求項１に係る発明の構成は、車両のフロアに固定され上部が開口する略コ字形状に屈曲形成されたロアレールの前記開口部に、シートに固定され下部が開口する略コ字形状に屈曲成形されたアッパレールがスライド自在に嵌挿され、前記ロアレールと前記アッパレールとにより形成される長手方向の空間内に、前記ロアレールに対する前記アッパレールのスライド位置を変更してロックするロック機構が設けられ、当該ロック機構は、前記アッパレールに該アッパレールの長手方向と略平行な回動軸を中心として回動可能なラッチレバーが設けられ、前記アッパレールをロックする方向へ前記ラッチレバーを付勢するためのばね部材が設けられた車両のシートスライド装置において、前記ばね部材は一本の棒状部材を屈曲させて形成され、中央部に前記ラッチレバーに係合する掛かり部が形成された第１ばね部と、該第１ばね部の両端から該第１ばね部の中央へ向かって前記棒状部材を折り返して互いに近接するように延長した内端部を前記アッパレールの前記屈曲形成された部分の内側に当接させるように外方へ突出形成した一対の第２ばね部とにより構成され、前記第１ばね部は、中央部に形成した第３ばね部と、該第３ばね部の両側に接続され該第３ばね部とほぼ直交する第１アーム部と、該第１アーム部に接続され前記第３ばね部に略平行な捩り部と、該捩り部に接続され該捩り部に略直交して前記第２ばね部の外端部へと接続される第２アーム部とにより構成され、前記ラッチレバーが回動されることにより前記第１アーム部と前記第２アーム部とのなす角度が変位し、前記捩り部が捩られるようにしたことを特徴とする。
【０００９】
この発明によれば、ばね部材をアッパレールの内面とラッチレバーとの間に配置するときに、第２ばね部の内端部がアッパレールの内面に先行して当接することから折り返し部分が曲げ変形し、ラッチレバーをロック状態からロック解除状態に回動させる際には、第１ばね部の第１アーム部と第２アーム部とのなす角度が変位し、捩り部が捩り変形する。つまり、第１ばね部と第２ばね部とが、一本のばね部材でありながら、特性の異なる２つのばねとして作用する。これにより、ロック状態においてラッチレバーを付勢するための付勢力を発生するのに必要なばね部材の変位量を小さくしながら、ラッチレバーをロック解除状態に移行する際の付勢力を小さくでき、ロック解除のための操作力が軽減され、操作性の向上を図ることができる。
【００１０】
請求項２に係る発明の構成は、請求項１に記載のシートスライド装置において、前記ばね部材が前記アッパレールと前記ラッチレバーとの間に装着された状態で、前記夫々の第２ばね部の外端部が前記アッパレールの前記屈曲形成された部分の内側に当接可能に設定されていることを特徴とする。
【００１１】
この発明によれば、ばね部材が装着された状態、つまりはロック状態において、第２ばね部の外端部がアッパレールの屈曲形成部内側に当接することにより、ロック解除のためにラッチレバーを回動させた際には、第２ばね部の変位量が増えことは無く、第１ばね部の変位量のみが増えることになる。
【００１２】
請求項３に係る発明の構成は、請求項１に記載のシートスライド装置において、前記第１アーム部と前記第２アーム部とは、前記捩り部の軸線回りに略直角の角度をなすことを特徴とする。
【００１３】
この発明によれば、第１アーム部と第２アーム部とが、第１アーム部と第２アーム部との間に位置する捩り部の軸線回りに略直角の角度をなすので、第１ばね部の捩り部には、捩り荷重が作用して捩りによる付勢力が作用する。
【発明の効果】
【００１４】
以上のように、本発明による車両のシートスライド装置によれば、ばね部材を特性の異なる第１ばね部と一対の第２ばね部とを直列に接続して構成し、ばね部材をアッパレールの屈曲形成部内側とラッチレバーとの間に組み付ける際には、主として第２ばね部が変形し、ラッチレバーのロック解除の操作の際には、主として第１ばね部が変形するようにしたので、ロック状態でラッチレバーを付勢するのに必要な付勢力を発生するのに必要なばね部材の変位量を小さくしながら、ラッチレバーをロック位置からロック解除位置に移行するのに必要な付勢力を小さくすることができるため、ロック解除のための操作力が軽減され、操作性の向上を図ることができる。また、ばね部材を折り返すように形成しているため、ばね部材の全長を短くすることができ、ばね部材の占有スペースを小さくすることができる。
【発明を実施するための最良の形態】
【００１５】
次に、本発明の実施の形態を、図１〜図８に基づいて説明する。
【００１６】
図１は本発明による車両のシートスライド装置の分解斜視図であり、図２は棒状ばねの構成図、図３は棒状ばねに加わる荷重と変位との関係を示すグラフ、図４はシートスライド装置の部分断面側面図、図５〜図６はシートスライド装置の長手方向と交差する方向の断面図、図７，図８はシートを最も後方あるいは前方にスライドさせた状態を示す説明図である。
【００１７】
図１に示すように、シートスライド装置は、車両のフロアに固定されるロアレール１と、シートの左右の下端に取り付けられるアッパレール２とを備え、ロアレール１に対してアッパレール２が、リテーナ３に保持されたローラ４とガイドボール５とを介して長さ方向へスライド自在となっている。ロアレール１の両端の取付孔にはボルト２２が挿通され、ロアレール１はボルト２２を介して車両のフロアに固定されている。
【００１８】
具体的には、ロアレール１の断面形状は、上部が開口する略コ字形状の基本断面部の上端に内側へ屈曲した下向屈曲部１ａが夫々延設して形成され、アッパレール２の断面形状は、同様に下部が開口する略コ字状の基本断面部の下端に外側へ屈曲した上向屈曲部２ａが夫々延設して形成されている。そして、アッパレール２は、各上向屈曲部２ａとそれに対向するアッパ側壁部２ｂ，２ｅとで、ロアレール１の下向屈曲部１ａを挟み込むようにして組み付けられている。図６に示すように、前記リテーナ３はロアレール１とアッパレール２との間にフリー状態で組み入れられ、リテーナ３に保持されたローラ４はアッパレール２の上向屈曲部２ａの下面を支持し、ガイドボール５はアッパレール２の上向屈曲部２ａの側面をガイドする。
【００１９】
このように構成されたロアレール１とアッパレール２との間には、ロアレール１に沿ってアッパレール２をスライドさせて固定するためのロック機構６が設けられている。このロック機構６は、アッパレール２に結合された支持ブラケット１６と、該支持ブラケット１６に回動可能に支持されたラッチレバー８と、アッパレール２に結合された爪支持プレート１２と、ロアレール１に結合されたロックプレート１０とにより構成されている。そして、ラッチレバー８のロック爪７を、ロックプレート１０の貫通孔９および爪支持プレート１２の貫通孔１４に挿通させることにより、アッパレール２がロアレール１に対してロックされる。
【００２０】
前記ラッチレバー８は略コの字形状に形成され、コの字形状の対向する２辺の部分が、回動自在に支持されている。図５にも示すように、ラッチレバー８の対向する２辺を連結する部分には、ラッチレバー８の回動中心から所定半径だけ離れた円の円周上に４つのロック爪７が形成されている。そして、ラッチレバー８を外部から回動操作してロック解除するため、ラッチレバー８の一方の辺には入力アーム１８が設けられている。
【００２１】
前記爪支持プレート１２は、相互に離間した一対の取付部１２ｂ，１２ｂと、これらの取付部１２ｂ，１２ｂを連結するように設けられた鉛直部１２ｃとにより構成されている。該鉛直部１２ｃは、アッパレール２の一方のアッパ側壁部２ｂに若干偏寄した位置に配置されており、鉛直部１２ｃの下部には、前記ロック爪７を挿入するための貫通孔１４が、アッパレール２の長手方向に沿って４つ形成されている。
【００２２】
前記ラッチレバー８と前記爪支持プレート１２とは、以下のようにしてアッパレール２の上壁部２ｆに取り付けられている。ラッチレバー８を支持するための一対の支持ブラケット１６と爪支持プレート１２とが、リベット１３を介して上壁部２ｆに固定されている。即ち、支持ブラケット１６の取付孔１６ａと、爪支持プレート１２の取付部１２ｂに形成された取付孔１２ａと、アッパレール２の上壁部２ｆの取付孔２ｃとにリベット１３を挿入し、該リベット１３の先端がカシメられている。
【００２３】
そして、一対のブラケット１６の相互に対向する鉛直部にはエンボス成形によって回動軸１９，２０が突設され、該回動軸１９，２０をラッチレバー８の対向する２辺の部分の孔８ａ，８ａに挿入することにより、ラッチレバー８はアッパレール２の長手方向へ長い回動軸１９，２０を介して回動自在に支持されている。
【００２４】
前記ラッチレバー８を回動方向へ付勢するために、図２に示す棒状ばね（ばね部材）１１が設けられている。棒状ばね１１は一本の棒状部材を屈曲させて形成され、図２（ａ）に示すように第１ばね部１１ａと、一対の第２ばね部１１ｂとにより構成されている。第１ばね部１１ａは、棒状ばね１１の中央部に形成されている。第２ばね部１１ｂは、第１ばね部１１ａの両端から該第１ばね部１１ａの中央へ向かって棒状部材を折り返した折り返し部分１１ｄを夫々外端部とすると共に棒状部材の先端部を互いに近接するように延長して夫々内端部１１ｅとしている。内端部１１ｅの近傍は、アッパレール２の屈曲成形された部分の内側（屈曲形成部内側）に当接させることから、第１ばね部１１ａ側から離れる方向にクランク状に突出して当接部１１ｃが形成されている。
【００２５】
前記第１ばね部１１ａは、中央部に略くの字状に形成した第３ばね部１１ｆと、該第３ばね部１１ｆの両側に接続され該第３ばね部１１ｆと略直交する第１アーム部１１ｊと、該第１アーム部１１ｊに接続され第３ばね部１１ｆに略平行であってクランク状に形成した捩り部１１ｇと、該捩り部１１ｇの端部に接続され該捩り部１１ｇ略直交する第２アーム部１１ｈとにより構成されている。そして、該第２アーム部１１ｈに、折り返し部分１１ｄを介して、第２ばね部１１ｂの外端部が接続されている。ここで、捩り部１１ｇを介して設けられた第１アーム部１１ｊと第２アーム部１１ｈとは、図２（ｃ）に示すように略Ｌ字状になっており、側面視で捩り部１１ｇ回りに略直角の角度をなしている。
【００２６】
前記ラッチレバー８であって、棒状ばね１１の中央部が当接する部分の構成を、以下に説明する。図２（ａ）に示すように、棒状ばね１１の中央部には、第２ばね部１１ｂ側とは反対側に突出するように略コの字形状に曲げて掛かり部１１ｉが形成されている。一方、ラッチレバー８には、棒状ばね１１の掛かり部１１ｉを掛けるためのばね掛け部１７が形成されている。即ち、図４に示すようにラッチレバー８の中間部に四角形の係合孔１７ａが形成され、該係合孔１７ａの内周面であってロック爪側の部分から該係合孔１７ａの内部に向かって突出するようにばね掛け部１７が形成されている。ばね掛け部１７は、ラッチレバー８の回動軸１９，２０を中心とする所定半径の円の円周上に配置されている。
【００２７】
棒状ばね１１は、その両端の当接部１１ｃがアッパレール２の上壁部２ｆとアッパ側壁部２ｅとが交わる屈曲形成部内側に当接し、その中央の掛かり部１１ｉが係合孔１７ａに入り込んでばね掛け部１７に掛けられている。そして、棒状ばね１１は、ラッチレバー８のロック爪７を、アッパレール２の一方のアッパ側壁部２ｂへ向かって常時付勢している。この棒状ばね１１は、アッパレール２に装着された状態では、夫々の第２ばね部１１ｂの外端部（折り返し部分１１ｄ）がアッパレール２の屈曲形成部内側に当接可能に設定されている。係合孔１７ａの内周部が棒状ばね１１の掛かり部１１ｉの移動を拘束するので、棒状ばね１１がその長さ方向へ移動することはない。
【００２８】
ロックプレート１０は、ロアレール１の長手方向の所定範囲に亙るように長尺に形成されている。ロックプレート１０は、一方の辺を成す水平な基部１０ａと他方の辺を成す鉛直部１０ｂとによりＬ字形に形成されている。鉛直部１０ｂには、前記貫通孔９が長手方向に亙って複数形成されており、図５に示すように鉛直部１０ｂは、アッパレール２の一方のアッパ側壁部２ｂと、爪支持プレート１２の鉛直部１２ｃとの間に配置されている。鉛直部１０ｂの貫通孔９はラッチレバー８のロック爪７が挿入嵌合される部分であるため、隣接する貫通孔９，９間のピッチはロック爪７のピッチと同じになっている。このロックプレート１０はロアレール１の底面の幅方向略中央部に配置され、基部１０ａの長さ方向での複数箇所をスポット溶接やプロジェクション溶接等することによって、ロックプレート１０がロアレール１に結合されている。
【００２９】
図５に示すようにアッパレール２の一方のアッパ側壁部２ｂのうちの、爪支持プレート１２の貫通孔１４と対向する位置には、ロックプレート１０の鉛直部１０ｂへ向かって窪んだ窪み部２５が設けられ、該窪み部２５には前記貫通孔１４と対応する位置に貫通孔２６が形成されている。この貫通孔２６は、ロック時にロック爪７の先端部が挿入係合される部分であり、爪支持プレート１２の貫通孔１４と共にロック爪７を支持する第２の爪支持部を構成している。これらの貫通孔１４，２６のピッチもロック爪７のピッチと同じになっており、貫通孔１４，２６は相互に対応する位置に配置されている。
【００３０】
アッパレール２の軸方向略中央には上壁部２ｆと一方のアッパ側壁部２ｂとに跨るように切欠き２ｄが形成され、ラッチレバー８の前記入力アーム１８がその切欠き２ｄを通してアッパレール２の外部に僅かに突出している。そして、アッパレール２に取り付けた図示しない支持ブラケットの水平軸を軸孔２９ｂに挿通することにより、ハンドルホルダー２９が揺動自在に軸支されている。該ハンドルホルダー２９に一端が装着された略Ｕ字形の操作レバー２８の図４中の左側である前部を引き上げることにより、ハンドルホルダー２９の後端部に位置する操作片２９ａで前記入力アーム１８を下方へ押圧することができる。したがって、操作レバー２８の前部が引き上げられると、操作片２９ａが入力アーム１８を下方へ押し下げ、それによって棒状ばね１１の付勢力に抗して、ラッチレバー８がロックプレート１０から離れる方向へ回動される。
【００３１】
シートの左右方向での他方の側部にも同様のシートスライド装置が配置されており、そのシートスライド装置にも略Ｕ字形の操作レバー２８の他端側が同様に連結され、操作レバー２８の操作力が同様に他端側のシートスライド装置にも伝達される。したがって、シートの左右のロック機構６は常に連動して操作される。
【００３２】
シートスライド装置の作用を説明する。シートが任意のスライド位置でロックされているときには、図５（ａ）に示すようにラッチレバー８が棒状ばね１１の付勢力を受けてロックプレート１０へ向かって回動変位した状態を占めており、このとき、ラッチレバー８のロック爪７は、爪支持プレート１２の貫通孔１４、ロックプレート１０の貫通孔９、アッパレール２の貫通孔２６の三者に挿通されている。
【００３３】
この状態からシートを前後方向での異なる位置に変更する場合には、操作レバー２８の前部を上方に回動操作し、ラッチレバー８を図５（ｂ）に示すように棒状ばね１１の付勢力に抗して回動させ、それによってラッチレバー８のロック爪７を貫通孔２６，９，１４の三者から引き抜き、シートの自由なスライドを可能にする。この状態においてシートのスライド位置を任意位置に変更し、その後に操作レバー２８を開放すと、ラッチレバー８が棒状ばね１１の付勢力によって元の状態に復帰し、図５（ａ）に示すようにロック爪７が再び貫通孔１４，９，２６の三者に挿通され、シートが固定される。図７はシートと共にアッパレール２を最も後方へスライドさせた状態を示すものであり、図８は最も前方へスライドさせた状態を示すものである。
【００３４】
操作レバー２８を回動操作して図５（ｂ）に示すようにラッチレバー８を棒状ばね１１の付勢力に抗して回動させ、その後に操作レバー２８を開放するという操作を繰り返すことにより、ラッチレバー８が回動して棒状ばね１１の撓み量が増減するが、棒状ばね１１の中央部に形成された掛かり部１１ｉが係合孔１７ａの内部に入り込んでいるので、棒状ばね１１が棒状ばね１１の長さ方向へ移動することはなく、常に同じ位置に位置決めされ保持される。
【００３５】
この発明では、図２（ａ）のように第１ばね部１１ａと第２ばね部１１ｂとが直列に接続された構成なので、ロック状態およびロック解除状態の際に第１ばね部１１ａの撓み量と一対の第２ばね部１１ｂの撓み量とを加算した値が全体の撓み量になる。即ち、棒状ばね１１は、図２に示すフリーの状態から、第２ばね部１１ｂの内端部１１ｃをアッパレール２の屈曲形成部内側に先行して当接させた状態で、第１ばね部１１ａの中央部を押し込んで装着する際に、折り返し部分１１ｄが曲げ変形し、中央部の掛かり部１１ｉをラッチレバー８のばね掛け部１７に係合させることでロック状態となる。そして、棒状ばね１１を装着する際に、棒状ばね１１の中央部の掛かり部１１ｉと内端部１１ｃとの間隔が小さくなった分が変位量となる。これを図示すると図３のようになる。第１ばね部１１ａは、主に棒状ばね１１がねじれ変形するトーションバーとして作用し、第２ばね部１１ｂは、曲げ変形により折り返し部分１１ｄが変位するばねとして作用するため、第１ばね部１１ａと第２ばね部１１ｂは一本の棒状ばね１１でありながら、異なる特性を有する。
【００３６】
図３中、（ａ）は第１ばね部１１ａの荷重と変位との関係を示し、（ｂ）は第２ばね部１１ｂの荷重と変位との関係を示す。直列に接続されたばねを圧縮した場合、最初は弱いほうの第２ばね部１１ｂのばね特性が表われ、強いほうの第１ばね部１１ａのばね特性は表われない。そのため、例えば荷重ｇ１を加えたときには第１ばね部１１ａは殆どねじれ変形を生じることはなく、第２ばね部１１ｂのみ撓み量ｘ１を生じ、荷重と変位との関係は図３中に（ｂ）の実線で示すように変化する。そして、荷重を大き＜していくと、点Ｐで第２ばね部１１ｂの撓み変形が止まり、第１ばね部１１ａがねじれ変形を開始するようになり、これ以上の荷重では荷重と変位との関係は図３中に（ａ）の実線で示すように変化する。棒状ばね１１をラッチレバー８に係合させて装着した際の荷重ｇ２と撓み量ｘ２は、図３中にＡで示すように線（ａ）上となるように設定する。また、ラッチレバー８をロック解除位置まで回動させた際の荷重ｇ３と撓み量ｘ３は、図３中にＢで示すように線（ａ）上となる。
【００３７】
この発明では、棒状ばね１１が装着された状態、つまりはロック状態において第２ばね部１１ｂの外端部がアッパレール２の屈曲形成部内側に当接可能としているので、図３において「Ａ．ロック状態」から「Ｂ．ロック解除状態」の間では、第２ばね部１１ｂの外端部は既にアッパレール２の屈曲形成部内側に先行して当接していて、第２ばね部１１ｂの変位は増えずに、第１ばね部１１ａの変位のみが増えることになる。なお、第２ばね部１１ｂの外端部１１ｄがアッパレール２の屈曲形成部内側に当接した時点がＰ点となるが、当接しなくとも所定の荷重になったときに、Ｐ点で切り替わる。外端部１１ｄがアッパレール２の屈曲形成部内側に当接する場合は、当接することによりＰ点の位置が安定することになる。
【００３８】
第１アーム部１１ｊと第２アーム部１１ｈとが、第１アーム部１１ｊと第２アーム部１１ｈとの間に位置する捩り部１１ｇの軸線回りに略直角の角度をなすので、捩り部１１ｇに捩り荷重が作用して捩りによる付勢力が作用する。第１ばね部１１ａの変位については、図２（ｃ）に示す第１アーム部１１ｊと第２アーム部１１ｈとのなす角度θが変位して小さくなることにより捩り部１１ｇに捩り力が作用し、捩りによる付勢力が第１ばね部１１ａに生じる。また、掛かり部１１ｉと第１アーム部１１ｊとのなす角度も変化するため、第３ばね部１１ｆにも捩り力が作用している。
【００３９】
上記のように、特性の異なる第１ばね部１１ａと第２ばね部１１ｂとによって構成することにより、ロック状態でラッチレバー８を付勢するのに必要な付勢力を発生するのに必要な棒状ばね１１の撓み量を小さくしながら、ラッチレバー８をロック状態からロック解除状態に移行する際の付勢力の増加を小さくでき、これにより、ロック解除のための操作力が軽減され、操作性の向上を図ることができる。また、棒状ばね１１は、第１ばね部１１ａと第２ばね部１１ｂとを折り返すように形成しているため、棒状ばね１１の全長を長くすることなくロック解除のための操作力を小さくすることが可能であり、棒状ばね１１の占有スペースを小さくすることができる。
【図面の簡単な説明】
【００４０】
【図１】本発明による車両のシートスライド装置の実施の形態を示す分解斜視図。
【図２】棒状ばねに係り、（ａ）は平面図、（ｂ）は正面図、（ｃ）は右側面図。
【図３】棒状ばねに加わる荷重と変位との関係を示すグラフ。
【図４】シートスライド装置の実施の形態に係り、要部の拡大断面図。
【図５】図４のＡ−Ａ矢視図に係り、（ａ）はロック状態を示す断面図、（ｂ）はロック解除の状態を示す断面図。
【図６】図４のＢ−Ｂ矢視図。
【図７】実施の形態に係り、シートを最も後方にスライドさせた状態を示す説明図。
【図８】実施の形態に係り、シートを最も前方にスライドさせた状態を示す説明図
【符号の説明】
【００４１】
１…ロアレール
２…アッパレール
６…ロック機構
８…ラッチレバー
１１…棒状ばね（ばね部材）
１１ａ…第１ばね部
１１ｂ…第２ばね部
１１ｄ…折り返し部分
１１ｅ…内端部
１１ｆ…第３ばね部
１１ｇ…捩り部
１１ｈ…第２アーム部
１１ｊ…第１アーム部
１９，２０…回動軸
【図１】
2007008241.tif 000003
【図２】
2007008241.tif 000004
【図３】
2007008241.tif 000005
【図４】
2007008241.tif 000006
【図５】
2007008241.tif 000007
【図６】
2007008241.tif 000008
【図７】
2007008241.tif 000009
【図８】
2007008241.tif 000010